(57)【要約】      （修正有）【課題】柔らかく、潰れやすい収納物であっても利用でき、しかも収納物を落とす恐れなく容易に開封可能にするオープナー付きカートンとする。【解決手段】前記背面板９の一端縁に連なって、外側に折り倒し可能な延長板１１を設け、該延長板１１の先端部を前面板１側に折り返して、前記延長板１１を外側に折り倒した時に当該延長板１１と共に外側に傾けられる折り返し板１２とし、該折り返し板１２の先端縁に連なって、前記タック板１０と前記背面板４の間に差し込まれ、前記延長板１１を外側へ折り倒して折り返し板１２を外側に傾けた時に前記タック板１０を押し上げる押し上げ板１３を設け、前記延長板１１を外側へ折り倒すことで、押し上げ板１３でタック板１０を押し上げて蓋板９を開くことができるようにする。【選択図】図１
2014040256.tif 000002
【特許請求の範囲】
【請求項１】
前面板、第一の側面板、背面板及び第二の側面板で四角筒状に構成された胴部の一端側に、前記第一及び第二の側面板の一端縁にそれぞれ連なる第一及び第二のフラップ板と、前記前面板の一端縁に連なる蓋板と、該蓋板の先端縁に連なるタック板とを備え、それぞれ内側へ倒された前記第一及び第二のフラップ板の上に前記蓋板が倒され、前記胴部側へ屈曲させた前記タック板が前記背面板の内面に沿って前記胴部の内側に差し込まれて前記胴部の一端側が閉鎖されたカートンにおいて、
前記背面板の一端縁に連なり、外側に折り倒し可能な延長板が設けられており、該延長板の先端部が前面板側に折り返されて、前記延長板を外側に折り倒した時に当該延長板と共に外側に傾けられる折り返し板となっており、該折り返し板の先端縁に連なって、前記タック板と前記背面板の間に差し込まれ、前記延長板を外側へ折り倒して折り返し板を外側に傾けた時に前記タック板を押し上げる押し上げ板が設けられていることを特徴とするオープナー付きカートン。
【請求項２】
前記押し上げ板が前記背面板の中央部に位置し、前記押し上げ板の基部の幅が背面板の幅より狭いことを特徴とする請求項１に記載のオープナー付きカートン。
【請求項３】
前記第一及び第二のフラップ板の先端側かつ前記背面板側のコーナー部が切除されていることを特徴とする請求項１又は２に記載のオープナー付きカートン。
【請求項４】
前記押し上げ板の基部の幅をＷとし、前記第一のフラップ板と前記第二のフラップ板の前記背面板側の端部における間隔をＤとしたとき、Ｗ≦Ｄの関係となっていることを特徴とする請求項２又は３に記載のオープナー付きカートン。
【請求項５】
前記押し上げ板の延出長さをＬ1とし、前記第一及び第二の側面板の幅をＷ’とし、前記タック板の延出長さをＬ2とした時、Ｌ2／２≦Ｌ1≦Ｗ’／２の関係となっていることを特徴とする請求項１〜４のいずれか一項に記載のオープナー付きカートン。
【請求項６】
前記押し上げ板の先端縁に連なり、前記押し上げ板の先端縁から前記押し上げ板の背面側に折り返された補強板を有しており、該補強板の先端部が前記延長板と前記折り返し板の間に挟み込まれていることを特徴とする請求項１〜５のいずれか一項に記載のオープナー付きカートン。
【請求項７】
前記タック板と前記押し上げ板の対向面が部分的に接着されていることを特徴とする請求項１〜６のいずれか一項に記載のオープナー付きカートン。
【請求項８】
前記タック板と前記押し上げ板の対向面の一方に、前記部分的接着領域の周縁の少なくとも一部に沿ってハーフカットが形成されていることを特徴とする請求項１〜７のいずれか一項に記載のオープナー付きカートン。
【請求項９】
前記延長板及び折り返し板を貫通する吊り下げ孔が形成されていることを特徴とする請求項１〜８のいずれか一項に記載のオープナー付きカートン。
【発明の詳細な説明】
【技術分野】
【０００１】
本発明は、筒状の胴部の少なくとも一端がタックエンド型の開閉部となっており、しかもその開封を容易にするオープナーを備えたカートンに関する。
【背景技術】
【０００２】
一般に、前面板、第一の側面板、背面板及び第二の側面板で四角筒状に構成された胴部の両端にタックエンド型の開閉部を備えたカートンが、タックエンドカートンとして広く知られている。タックエンド型の開閉部は、第一及び第二の側面板の一端縁にそれぞれ連なる第一及び第二のフラップ板と、前面板の一端縁に連なる蓋板と、この蓋板の先端縁に連なるタック板とを備え、それぞれ内側へ倒した第一及び第二のフラップ板の上に蓋板を倒して胴部の一端側の開口部を覆うと共に、胴部側へ屈曲させたタック板を背面板の内面に沿って胴部の内側に差し込むことで、胴部の一端側を開放可能な状態で閉鎖できる構成となっている。
【０００３】
なお、本明細書においては、胴部を構成する一連の４枚の周側面板のうちで、蓋板が連なる周側面板を前面板、この前面板に対向する周側面板（蓋板閉鎖時のタック板の差し込み側となる周側面板）を背面板とし、残る相対向する２枚の周側面板を第一及び第二の側面板とする。
【０００４】
従来、タックエンド型の開閉部を備えたカートンにおいて、二つ折りにした紙片の下側を第一可動底、上側を第二可動底とし、第二可動底の自由端側に引き上げ板を連ね、この引き上げ板を背面板の内側に沿って立ち上げて、上端に引き上げつまみを設けたカートンが知られている（例えば、特許文献１参照）。このカートンの場合、第二可動底上に収納物を入れた状態で引き上げつまみを引き上げると第二可動底が持ち上がって収納物をせり上がらせることができ、これによって取り出しやすい状態とすることができる。
【先行技術文献】
【特許文献】
【０００５】
【特許文献１】特開２００９−１３７６０３号公報
【発明の概要】
【発明が解決しようとする課題】
【０００６】
ところで、タックエンド型の開閉部は、開封時の手掛りが少なく、例えば爪を短く切った直後又は付け爪を付けている時、更には不器用な人にとっては開けづらい問題がある。
【０００７】
一方、特許文献１のカートンは、本来は収納物をせり上がらせて取り出しやすくするための機能を備えたものであるが、タック板を引き上げ板の内側に差し込むようにすると、閉鎖した状態で引き上げつまみを外に出しておくことができる。この状態で引き上げつまみを引き上げると、収納物のせり上げと同時に蓋板を押し上げて開封することが可能となる。
【０００８】
しかしながら、上記のようなオープナー機能を持たせた場合、せり上げられる収納物に押されて蓋板が押し上げられるので、不用意に引き上げつまみを引き上げると、開封の反動で、せり上がった収納物がカートンからこぼれ落ちてしまう恐れがある。また、柔らかく、潰れやすい収納物に対しては収納物が蓋板を押し上げる際に形が変形してしまうため適用しにくい問題もある。
【０００９】
更には、化粧品のボトルといった重い収納物であった場合、第二可動底上にボトルを入れた状態で引き上げつまみを引き上げ、第二可動底上にあるボトルをせり上げて蓋板を押し上げて開封することとなり、開封するにはボトルを動かす力が必要となる。つまり、収納物によって開封しやすさが変わるという問題がある。
【００１０】
本発明は、上記従来の問題点に鑑みてなされたもので、どのような収納物であっても一定の力で開封でき、しかも収納物を落とす恐れなく容易に開封可能なタックエンド型の開閉部を備えたカートンを提供することを目的とする。
【課題を解決するための手段】
【００１１】
上記目的のために本発明は、前面板、第一の側面板、背面板及び第二の側面板で四角筒状に構成された胴部の一端側に、前記第一及び第二の側面板の一端縁にそれぞれ連なる第一及び第二のフラップ板と、前記前面板の一端縁に連なる蓋板と、該蓋板の先端縁に連なるタック板とを備え、それぞれ内側へ倒された前記第一及び第二のフラップ板の上に前記蓋板が倒され、前記胴部側へ屈曲させた前記タック板が前記背面板の内面に沿って前記胴部の内側に差し込まれて前記胴部の一端側が閉鎖されたカートンにおいて、
前記背面板の一端縁に連なり、外側に折り倒し可能な延長板が設けられており、該延長板の先端部が前面板側に折り返されて、前記延長板を外側に折り倒した時に当該延長板と共に外側に傾けられる折り返し板となっており、該折り返し板の先端縁に連なって、前記タック板と前記背面板の間に差し込まれ、前記延長板を外側へ折り倒して折り返し板を外側に傾けた時に前記タック板を押し上げる押し上げ板が設けられていることを特徴とするオープナー付きカートンを提供するものである。
【００１２】
前記押し上げ板が前記背面板の中央部に位置し、前記押し上げ板の基部の幅が背面板の幅より狭いこと、
前記第一及び第二のフラップ板の先端側かつ前記背面板側のコーナー部が切除されていること、
前記押し上げ板の基部の幅をＷとし、前記第一のフラップ板と前記第二のフラップ板の前記背面板側の端部における間隔をＤとした時、Ｗ≦Ｄの関係となっていること、
前記押し上げ板の延出長さをＬ1とし、前記第一及び第二の側面板幅をＷ’とし、前記タック板の延出長さをＬ2とした時、Ｌ2／２≦Ｌ1≦Ｗ’／２の関係となっていること、
前記押し上げ板の先端縁に連なり、前記押し上げ板の先端縁から前記押し上げ板の背面側に折り返された補強板を有しており、該補強板の先端部が前記延長板と前記折り返し板の間に挟み込まれていること、
前記タック板と前記押し上げ板の対向面が部分的に接着されていること、
前記タック板と前記押し上げ板の対向面の一方に、前記部分的接着領域の周縁の少なくとも一部に沿ってハーフカットが形成されていること、
前記延長板及び折り返し板を貫通する吊り下げ孔が形成されていること、
をその好ましい態様として含むものである。
【発明の効果】
【００１３】
本発明によれば、背面板から蓋板の上方へ延出している延長板を外側へ折り倒すことで、押し上げ板がタック板を押し上げて蓋板を開くことができる。延長板の突出量は摘まみやすい任意の量に調整できるので、誰でも簡単に操作することができ、開封操作が容易となる。また、収納物を静置させたまま、収納物とは係りなくタック板を押し上げることができる。このため、潰れやすい収納物であっても差支えがなく適用でき、しかも蓋板の開放時に収納物をこぼす心配がなく、収納物の重さによって開封しやすさが変化してしまうこともない。
【００１４】
その他の本発明の効果については、以下の実施の形態の説明と共に説明する。
【図面の簡単な説明】
【００１５】
【図１】本発明の第一の例に係るオープナー付きカートンの蓋板が解放された状態の斜視図である。
【図２】図１に示されるオープナー付きカートンの上部の拡大断面図で、（ａ）は組み立て途中段階、（ｂ）は閉鎖状態を示す図である。
【図３】図１に示されるオープナー付きカートンの外面側から見た展開図である。
【図４】図１に示されるオープナー付きカートンの蓋板の開放動作の説明図で、（ａ）から（ｃ）の順に解放が進行した状態を示す図である。
【図５】図１に示されるオープナー付きカートンの蓋板及びタック板を外側へほぼ水平に倒し、延長板、折り返し板、押し上げ板及び補強板を外側へほぼ水平に倒した状態の平面図である。
【図６】本発明の第二の例に係るオープナー付きカートンの斜視図である。
【図７】本発明の第三の例に係るオープナー付きカートンの外面側から見た展開図である。
【図８】実施例で用いた本発明に係るオープナー付きカートンの各部の寸法入りの外面側から見た展開図である。
【発明を実施するための形態】
【００１６】
以下、図面に基づいて本発明を更に説明する。なお、以下に参照する図面において、同じ符号は同様の構成要素を示す。
【００１７】
図１〜図３に基づいて本発明の第一の例に係るオープナー付きカートンの構成を説明する。
【００１８】
特に図１及び図３に示されるように、本例のオープナー付きカートンは、前面板１、この前面板１の左右に位置して互いに対向する第一及び第二の側面板２，３及び前面板１に対向する背面板４によって四角筒状に構成された胴部５を備えている。第一の側面板２と前面板２と第二の側面板３と背面板４はそれぞれ折りラインを介して連続しており、第一の側面板２と背面板４は、背面板４から折りラインを介して延出したのり代片６を介して接合され、四角筒状に構成されている。
【００１９】
胴部５の一端側には、第一及び第二の側面板２，３の一端縁にそれぞれ折りラインを介して連なる第一及び第二のフラップ板７，８と、前面板１の一端縁に折りラインを介して連なる蓋板９と、この蓋板９の先端に折りラインを介して連なるタック板１０とが設けられている。これらは、それぞれ胴部５の内側へ倒された第一及び第二のフラップ板７，８の上に蓋板９を倒して胴部５の一端側の開口部を覆うと共に、胴部５側へ屈曲させたタック板１０を背面板４の内面に沿って胴部５の内側に差し込むことで胴部５の一端側を開閉可能に閉鎖するタックエンド型の開閉部を構成している。
【００２０】
なお、本明細書においては、前記のように、蓋板９が連なる周側面板を前面板１、この前面板１に対向する周側面板を背面板４としているもので、前面板１と背面板４は包装体とした時の前面と背面を意味するものではない。
【００２１】
本例においては、図３に示されるように、胴部５の他端側にも、第一及び第二のフラップ板７’，８’と、蓋板９’と、タック板１０’とが上記と同様にして設けられて、タックエンド型開閉部を構成している。ただし、本発明においては、胴部５の一端側がタックエンド型の開閉部となっていれば足り、他端側は他の折り込み形式や接着により閉鎖した底面部とすることができる。この底面部は、開閉可能な構造であっても開閉できない構造であってもよい。
【００２２】
胴部５の一端側には、背面板４の一端縁に折りラインを介して連なり、この背面板４との間の折りラインを介して胴部５の外側に折り倒し可能な延長板１１が設けられている。延長板１１の先端縁には、折り返しラインを介して折り返し板１２が連なり、この折り返し板１２の先端縁には、折り返し板１２より幅が狭くなった押し上げ板１３が連なっている。また、更にこの押し上げ板１３の先端縁には、折りラインを介して補強板１４が連なっている。折り返し板１２は、延長板１１との間の折りラインを介して前面板１側（胴部５の内側）に折り返されており、延長板１１を胴部５の外側へ折り倒した時に延長板１１と共に外側へ傾けられるものとなっている。押し上げ板１３は、折り返し板１２と面一に連なっていて、折り返し板１２が外側に傾けられた時に上方へ押し上げられるものとなっている。また、押し上げ板１３は、図２（ｂ）に示されるように、胴部５の一端側に設けられたタックエンド型の開閉部が内側に倒された蓋板９によって閉鎖状態にある時には、蓋板９に連なるタック板１０と背面板４間に差し込まれているものである。更に、補強板１４は、押し上げ板１３との間の折りラインを介して押し上げ板１３の背面側に折り返されており、この補強板１４の先端部は延長板１１と折り返し板１２の間に挟み込まれている。
【００２３】
次に、閉鎖状態にある蓋板９の開放動作について説明する。
【００２４】
タックエンド型の開閉部が、内側に倒された蓋板９によって閉鎖されている状態である図２（ｂ）の状態において、図４（ａ）に示されるように、折り重ねられている延長板１１と折り返し板１２を摘まんで、延長板１１を、背面板４との間の折りラインを介して外側に折り倒す。すると、これと共に折り返し板１２も外側に傾けられ、押し上げ板１３が押し上げられて、蓋板９の先端部に設けられているタック板１０を押圧する。
【００２５】
更に延長板１１を外側へ倒すと、図４（ｂ）に示されるように、押し上げ板１３が強くタック板１０を押し上げ、蓋板９が浮き上げられる。
【００２６】
延長板１１を、水平位置よりも下方に折り倒すと、図４（ｃ）に示されるように、タック板１０が押し上げ板１３から外れて蓋板９が開放される。
【００２７】
上記のようにして蓋板９を解放すれば、手掛りの少ない蓋板９を直接引き上げて開放する場合に比して極めて開封が容易となる。開封後は、通常と同様にして、第一及び第二のフラップ板７，８を起こしてから収納物を取り出すことができる。蓋板９を再び閉鎖する場合、補強板１４の先端部を延長板１１と折り返し板１２の間に挟み込んだ状態で延長板１１をほぼ垂直に立て、第一及び第二のフラップ板７，８を内側に倒してから、蓋板９を内側に倒してタック板１０を押し上げ板１３に沿って胴部５の内側に差し込むことで容易に閉鎖することができる。
【００２８】
本発明に係るオープナー付きカートンは紙で構成されているもので、延長板１１を折り倒すことで、押し上げ板１３によるタック板１０の確実な突き上げができる適度な剛性を得る上で、坪量が２００〜４００ｇ／ｍ2の紙を用いることが好ましい。本発明に係るオープナー付きカートンを構成する紙としては、合成樹脂フィルムがコーティングされた紙、合成樹脂フィルム又は金属箔がサンドされた紙であってもよい。
【００２９】
図面に基づいて説明した例においては、延長板１１及び折り返し板１２の幅は背面板４の幅と等しくなっているが、背面板４より幅を狭くすることもできる。
【００３０】
図５に示される押し上げ板１３の基部（折り返し板１２との間の折りライン側の端部）の幅Ｗと、内側に水平に倒した状態における第一のフラップ板７と第二のフラップ板８の背面板４側の端部の間隔Ｄとは、Ｗ≦Ｄの関係となっていることが好ましい。Ｗ＞Ｄとなると、押し上げ板１３と第一及び第二のフラップ板７，８が重なり、延長板１１を外側へ折り倒す時に押し上げ板１３に加わる抵抗力が大きくなり、スムーズにタック板１０を押し上げにくくなりやすい。特に、押し上げ板１３が第一のフラップ７の基部（第一の側面板２との間の折りライン側の端部）又は第二のフラップ８の基部（第二の側面板との間の折りライン側端部）に近い部分と重なるほど押し上げ板１３に加わる抵抗力が大きくなるので、押し上げ板１３は背面板４の中央部に位置し、押し上げ板１３の基部の幅Ｗが背面板４の幅よりも狭いことが好ましい。
【００３１】
押し上げ板１３によるタック板１０の押し上げ時に押し上げ板１３に加わる負荷をできるだけ小さくするために、押し上げ板１３と第一及び第二のフラップ板７，８の重なり量（接触面積）をできるだけ小さくしておくことが好ましい。このため、第一及び第二のフラップ板７，８の先端側かつ背面板４側のコーナー部を切除しておくことが好ましい。このコーナー部の切除により、第一及び第二のフラップ板７，８による異物の侵入防止効果を損なうことなく、スムーズな開封動作を確保することができる。図示される例における上記コーナー部の切除は曲線的に行われているが、これを直線的に行うこともできる。また、押し上げ板１３の先端部両端コーナー部を切除することでも同様の効果を得ることができ、第一及び第二のフラップ板７，８と押し上げ板１３の両者についてコーナー部を切除することもできる。ただし、押し上げ板１３の先端部両端コーナー部を大きく切除すると押し上げ板１３の剛性を維持しにくくなるので、大きな切除は第一及び第二のフラップ板７，８のコーナー部で行うことが好ましい。
【００３２】
本発明に係るオープナー付きカートンの平面形状は一般的には正方形又は長方形で、第一の側面板２と第二の側面板３の幅は等しいのが通常である。図５に示されるように、第一及び第二の側面板２，３の幅をＷ’、押し上げ板１３の延出長さをＬ1、タック板１０の延出長さをＬ2とした時、Ｌ2／２≦Ｌ1≦Ｗ’／２の関係となっていることが好ましい。
【００３３】
例えば、Ｌ2＝３０ｍｍ、Ｌ1＝５ｍｍ、Ｗ’＝４０ｍｍとした場合のように、押し上げ板１３の延出長さＬ1がタック板１０の延長長さＬ2の半分の長さよりも短くなると、押し上げる力が足りなくなるおそれがある。例えば、Ｌ2＝２０ｍｍ、Ｌ1＝１２ｍｍ、Ｗ’＝２０ｍｍとした場合のように、第一及び第二の側面板２，３の幅Ｗ’に対し、押し上げ板１３の延出長さＬ1が長くなると、開封動作をした際に第一のフラップ７と第二のフラップ８ならびに押し上げ板１３の間にタック板１０が挟まれてしまい、第一フラップ７と第二フラップ８が開封の邪魔になるおそれを生じる。例えばＬ2＝２０ｍｍ、Ｌ1＝８ｍｍ、Ｗ’＝１２ｍｍとした場合のように、押し上げ板１３の延出長さＬ1がタック板１０の延長長さＬ2の半分の長さよりも短くなると、押し上げる力が足りなくなるおそれを生じる。更に、第一及び第二の側面板２，３の幅Ｗ’に対し、タック板１０の延出長さＬ2が長いため、開封動作をした際にタック板１０が前面板に当たってストッパーとなってしまい、開封しにくくなるおそれを生じる。このように、Ｌ2／２≦Ｌ1≦Ｗ’／２の関係となっていることによって、押し上げ板１３に加わる負荷を抑制しつつ、押し上げ板１３によるタック板１０の確実な押上げを確保することができる。
【００３４】
補強板１４は省略することもできるが、本例のように押し上げ板１３の先端縁から押し上げ板１３の背面側に折り返された補強板１４を設け、この補強板１４の先端部を延長板１１と折り返し板１２の間に挟み込ませておくことが好ましい。このようにすると、一連に連なって傾動される、延長板１１、折り返し板１２及び押し上げ板１３で構成される部分の強度を高めることができる。
【００３５】
閉鎖後の未開封の状態におけるタック板１０と押し上げ板１３の対向面が部分的に接着されていることが好ましい。部分的な接着としておくことで、延長板１１の折り倒しによる開封時に自動的に剥がすことが可能であり、接着が剥離されていないことを確認することで、改ざん防止効果を得ることができる。図１及び図３に部分的接着領域を符号１５で示す。また、この部分的な接着を施す場合、図１及び図２に示すように、部分的接着領域１５の周縁の少なくとも一部に沿ってハーフカット１６を形成しておくことが好ましい。ハーフカット１６を形成しておくことにより、接着剤同士の界面剥離又は、接着剤層の凝集剥離よりもハーフカット部分からの剥離性がスムーズになる場合もあり、好ましい。図３ではタック板１０側にハーフカット１６が形成されているが、タック板１０と押し上げ板１３の対向面の一方に形成すれば足る。このハーフカット１６を設けておくことで、部分的接着領域１５を、オープナー付きカートンを構成する紙の層間剥離により剥離することができ、前記開封を妨げることなく部分的接着領域１５を開封と共に自動的に剥離しやすくなる。ハーフカット１６は部分的接着領域１５の周縁部全周に形成してもよいが、一部の縁部に形成するだけでも足る。一部に形成する場合、最初に剥離力が作用する蓋板９側の縁部に沿って設けることが好ましい。
【００３６】
図６に示される第二の例は、延出板１１及び折り返し板１２を貫通して吊り下げ孔１７が形成されたものとなっている。この吊り下げ孔１７が設けられている点を除いて既に説明した例と同様である。本例のオープナー付きカートンの場合、吊り下げ孔１７をフック等に掛けることで、吊り下げ展示することができる包装体を得ることができる。
【００３７】
図７に示される第三の例においては、第一及び第二のフラップ板７，８の先端側かつ背面板４側となるコーナー部の切除が直線的に行われている。第一の例においては、図３に示されるように、この切除が曲線的に行われているが、本例のように直線的に行っておいても、スムーズな開封動作を確保することができる。本例においては、上記第一及び第二のフラップ板７，８の先端側かつ背面板４側となるコーナー部の切除と共に、胴部５の他端側に設けられている第一及び第二のフラップ板７’，８’の先端側かつ背面板４側となるコーナー部の切除も直線的に行われたものとなっている。本例は、これらの点以外は前述の第一の例と同様である。
【実施例】
【００３８】
実施例
坪量４００ｇ／ｍ2の板紙を用意し、図８に示す各部の寸法のカートンブランクを切り抜き、これを組み立てて第一の例に係るオープナー付きカートンを得た。図８に示す寸法は、総て単位はｍｍである。得られたオープナー付きカートンにおいて、図５に示すＷ，Ｗ’，Ｄ，Ｌ1，Ｌ2は、Ｗ＝２５ｍｍ、Ｗ’＝４０ｍｍ、Ｄ＝２６ｍｍ、Ｌ1＝１２ｍｍ、Ｌ2＝１２ｍｍで、Ｗ≦Ｄの関係と、Ｌ2／２≦Ｌ1≦Ｗ’／２の関係を満たしていた。
【００３９】
組み立てたカートンに収納物として円柱体（高さ４５ｍｍ、重さ２５ｇ、φ３０）を収納した状態で開封テストを行った。外部に延出した延長板を折り倒すことによる開封動作を１０回繰り返した結果、１０回とも容易に開封することができた。
【符号の説明】
【００４０】
１  前面板
２  第一の側面板
３  第二の側面板
４  背面板
５  胴部
６  のり代片
７，７’  第一のフラップ板
８，８’  第二のフラップ板
９，９’  蓋板
１０，１０’  タック板
１１  延長板
１２  折り返し板
１３  押し上げ板
１４  補強板
１５  部分接着領域
１６  ハーフカット
１７  吊り下げ孔
【図１】
2014040256.tif 000003
【図２】
2014040256.tif 000004
【図３】
2014040256.tif 000005
【図４】
2014040256.tif 000006
【図５】
2014040256.tif 000007
【図６】
2014040256.tif 000008
【図７】
2014040256.tif 000009
【図８】
2014040256.tif 000010